(57)【要約】【課題】  オリジナル画像文書情報と追記情報を効率的に管理する。【解決手段】  画像文書配信サーバ１０が通信ネットワークを介してユーザ端末２０と接続される備えた文書管理ネットワークシステムであって、画像文書配信サーバは、送受信部１０４と、オリジナル画像文書情報、公開用追記情報を格納する記憶部１０５，１０６と、記憶部との間でオリジナル画像文書情報と公開用追記情報の格納と読み出しを行う格納部１０１，１０２と、オリジナル画像文書情報と公開用追記情報を送受信部を介してユーザ端末へ送る閲覧情報分離合成部と、を有し、  通信端末は、送受信部２０１と、個人用追記情報を格納する記憶部２０６と、記憶部との間で個人用追記情報の格納と読み出しを行う格納部２０４と、送受信部で受けたオリジナル画像文書情報、公開用追記情報、記憶部から読み出された個人用追記情報を合成する閲覧情報分離合成部２０３と、を有する。【選択図】      図１
2005309745.tif 000002
【特許請求の範囲】
【請求項１】
画像文書配信サーバと、前記画像文書配信サーバと通信ネットワークを介して接続される通信端末とを備えた文書管理ネットワークシステムであって、
前記画像文書配信サーバは、
前記通信ネットワークを介して前記通信端末と通信する第１の送受信部と、
オリジナル画像文書情報、前記オリジナル画像文書情報に追記する公開可能な追記情報、前記オリジナル画像文書に追記する個人用追記情報のうちの一つ又は二つからなる第１情報を格納する第１の記憶部と、
前記通信端末からのオリジナル画像文書特定情報、又は前記オリジナル画像文書特定情報と閲覧者特定情報に基づいて、前記第１の記憶部との間で前記第１情報の格納と読み出しを行う第１の格納部と、
前記第１の格納部により読み出した前記第１情報を前記第１の送受信部を介して前記通信端末へ送る第１の情報処理部と、を有し、
前記通信端末は、
前記オリジナル画像文書特定情報と前記閲覧者特定情報とを入力する入力部と、
前記通信ネットワークを介して前記画像文書配信サーバと通信する第２の送受信部と、
前記オリジナル画像文書情報、前記公開用追記情報、前記個人用追記情報のうち前記第１の記憶部に格納された第１情報以外の情報からなる第２情報を格納する第２の記憶部と、
前記オリジナル画像文書特定情報、又は前記オリジナル画像文書特定情報と前記閲覧者特定情報に基づいて、前記第２の記憶部との間で前記第２情報の格納と読み出しを行う第２の格納部と、
前記第２の送受信部で受けた第１情報と、前記第２の格納部により読み出した第２情報とを合成するとともに、前記オリジナル画像文書特定情報、又は前記オリジナル画像文書特定情報と前記閲覧者特定情報を前記第２の送受信部を介して前記画像文書配信サーバへ送る第２の情報処理部と、を有する文書管理ネットワークシステム。
【請求項２】
請求項１に記載の文書管理ネットワークシステムにおいて、前記第１情報には前記オリジナル画像文書情報が含まれていることを特徴とする記載の文書管理ネットワークシステム。
【請求項３】
請求項１に記載の文書管理ネットワークシステムにおいて、前記第１の記憶部は、オリジナル画像文書情報を記憶するオリジナル画像文書情報記憶部と、前記公開可能な追記情報を記憶する公開用追記情報記憶部とを備え、
前記第１の格納部は、前記オリジナル画像文書特定情報に基づいて、前記オリジナル画像文書情報記憶部との間で前記オリジナル画像文書情報の格納と読み出しを行うオリジナル画像文書情報格納部と、前記オリジナル画像文書特定情報と前記閲覧者特定情報に基づいて、前記公開用追記情報記憶部との間で前記公開可能な追記情報の格納と読み出しを行う公開用追記情報格納部とを備え、
前記第１の情報処理部は、前記オリジナル画像文書情報格納部により読み出した前記オリジナル画像文書情報と前記公開用追記情報格納部により読み出した前記公開可能な追記情報とを、前記第１の送受信部を介して前記通信端末へ送り、
前記第２の記憶部は前記個人用追記情報を記憶し、
前記第２の格納部は前記オリジナル画像文書特定情報に基づいて、前記第２の記憶部との間で前記個人用追記情報の格納と読み出しを行う、
ことを特徴とする記載の文書管理ネットワークシステム。
【請求項４】
通信ネットワークを介して通信端末と通信する送受信部と、
オリジナル画像文書情報と、前記オリジナル画像文書情報に追記する公開可能な公開用追記情報、前記オリジナル画像文書に追記する個人用追記情報のうちの少なくとも一つの追記情報とを格納する記憶部と、
前記通信端末から前記送受信部を介して送られた、オリジナル画像文書特定情報、又はオリジナル画像文書特定情報と閲覧者特定情報とに基づいて、前記記憶部との間で前記オリジナル画像文書情報と前記少なくとも一つの追記情報との格納と読み出しを行う格納部と、
前記格納部により読み出した前記オリジナル画像文書情報と前記少なくとも一つの追記情報とを、前記送受信部を介して前記通信端末へ送る情報処理部と、を有する画像文書配信サーバ。
【請求項５】
通信ネットワークを介して、オリジナル画像文書情報を含む情報を画像文書配信サーバから受信する送受信部と、
オリジナル画像文書特定情報を入力する入力部と、
前記オリジナル画像文書情報に追記する個人用追記情報を格納する記憶部と、
前記オリジナル画像文書特定情報に基づいて、前記記憶部との間で前記個人用追記情報の格納と読み出しを行う格納部と、
前記格納部により読み出した前記個人用追記情報と、前記送受信部より受信したオリジナル画像文書情報を含む情報とを合成する情報処理部と、を有する通信端末。
【請求項６】
オリジナル画像文書特定情報と閲覧者特定情報とを入力する入力部と、
オリジナル画像文書情報を格納する第１の記憶部と、
前記オリジナル画像文書特定情報に基づいて、前記第１の記憶部との間で前記オリジナル画像文書情報の格納と読み出しを行う第１の格納部と、
前記オリジナル画像文書情報に追記する公開可能な公開用追記情報を格納する第２の記憶部と
前記オリジナル画像文書特定情報と前記閲覧者特定情報に基づいて、前記第２の記憶部との間で前記公開用追記情報の格納と読み出しを行う第２の格納部と、
前記オリジナル画像文書情報に追記する個人用追記情報を格納する第３の記憶部と、
前記オリジナル画像文書特定情報に基づいて、前記第３の記憶部との間で前記個人用追記情報の格納と読み出しを行う第３の格納部と、
前記第１の格納部により読み出した前記オリジナル画像文書情報と、前記第２の格納部により読み出した前記公開用追記情報と、前記第３の格納部により読み出した前記個人用追記情報とを合成する情報処理手段と、
を有する文書管理装置。
【請求項７】
入力手段によりオリジナル画像文書特定情報と閲覧者特定情報を入力し、
情報の格納と読み出しを行う格納手段により、前記オリジナル画像文書特定情報に基づいて、第１の記憶手段に記憶されたオリジナル画像文書情報を読み出し、前記オリジナル画像文書特定情報と前記閲覧者特定情報とに基づいて、第２の記憶手段に記憶された前記オリジナル画像文書情報に追記する公開可能な公開用追記情報を読み出し、前記オリジナル画像文書特定情報に基づいて、第３の記憶手段に記憶された前記オリジナル画像文書情報に追記する個人用追記情報を読み出し、
情報処理手段により、読み出した前記オリジナル画像文書情報と、読み出した前記公開用追記情報と、読み出した前記個人用追記情報とを合成する文書管理方法。
【請求項８】
送受信手段によりオリジナル画像文書特定情報と閲覧者特定情報を受信し、
記憶手段に記憶された、オリジナル画像文書情報と、前記オリジナル画像文書情報に追記する公開可能な公開用追記情報、前記オリジナル画像文書に追記する個人用追記情報のうちの少なくとも一つの追記情報とを、前記オリジナル画像文書特定情報又は前記オリジナル画像文書特定情報と前記閲覧者特定情報とに基づいて、情報の格納と読み出しを行う格納手段により前記記憶手段から読み出し、
読み出した前記オリジナル画像文書情報と前記少なくとも一つの追記情報とを、前記送受信部を介して送信する、画像文書配信サーバの文書管理方法。
【請求項９】
入力手段によりオリジナル画像文書特定情報と閲覧者特定情報を入力し、
情報の格納と読み出しを行う格納手段により、前記オリジナル画像文書特定情報に基づいて、第１の記憶手段に記憶されたオリジナル画像文書情報を読み出し、前記オリジナル画像文書特定情報と前記閲覧者特定情報とに基づいて、第２の記憶手段に記憶された前記オリジナル画像文書情報に追記する公開可能な公開用追記情報を読み出し、前記オリジナル画像文書特定情報に基づいて、第３の記憶手段に記憶された前記オリジナル画像文書情報に追記する個人用追記情報を読み出し、
情報処理手段により、読み出した前記オリジナル画像文書情報と、読み出した前記公開用追記情報と、読み出した前記個人用追記情報とを合成する処理をコンピュータにより実行するためのプログラム。
【請求項１０】
送受信手段によりオリジナル画像文書特定情報と閲覧者特定情報を受信し、
記憶手段に記憶された、オリジナル画像文書情報と、前記オリジナル画像文書情報に追記する公開可能な公開用追記情報、前記オリジナル画像文書に追記する個人用追記情報のうちの少なくとも一つの追記情報とを、前記オリジナル画像文書特定情報又は前記オリジナル画像文書特定情報と前記閲覧者特定情報とに基づいて、情報の格納と読み出しを行う格納手段により前記記憶手段から読み出し、
読み出した前記オリジナル画像文書情報と前記少なくとも一つの追記情報とを、前記送受信部を介して送信する処理をコンピュータにより実行するためのプログラム。
【発明の詳細な説明】
【技術分野】
【０００１】
本発明は文書管理ネットワークシステム、画像文書配信サーバ、通信端末、文書管理装置、文書管理方法およびプログラムに係わり、特にオリジナル画像文書情報と追記情報とを管理する文書管理ネットワークシステム等に関する。
【背景技術】
【０００２】
従来の画像文書を配信して閲覧するシステムでは、画像文書配信側の配信オリジナル画像文書を直接編集して、コメントやマーカを追記する方式が採用されていた。
【０００３】
なお本発明に関連する技術としては、特許文献１に、付箋紙が貼り付けられた文書の付箋紙情報を抽出し、付箋紙情報の抽出結果と付箋紙が添付された文書のオリジナル電子文書の情報と対応付けて格納し、表示要求があったときにオリジナル文書に付箋紙情報を添付して表示用文書を作成することの記載がある（図１等）。
【０００４】
また、特許文献２に、電子文書の構成要素を指定し、指定された構成要素とこの構成要素に対応する分類情報とを対にして、電子文書データと対応付けて記憶することの記載がある（図１等）。
【０００５】
また、特許文献３には、図又は写真の領域画像を抽出し、属性情報として文書画像の管理情報に付加して保存することの記載がある（図１等）。
【特許文献１】特開２０００−２２２３９４号公報
【特許文献２】特開２００２−１６３２７３号公報
【特許文献３】特開２００３−１７８０７１号公報
【発明の開示】
【発明が解決しようとする課題】
【０００６】
しかしながら、画像文書配信側の配信オリジナル画像文書を直接編集して、コメントやマーカを追記するシステムでは、オリジナル画像文書とは別々の画像文書として扱うか、オリジナル画像文書を置き換える必要があった。また、直接編集のため、追記したコメントやマーカは個人的に利用するのか公開するのか選択することが出来なかった。オリジナル画像の一部にコメントを追記した場合でも、画像全体を再構築し、オリジナル画像を変更する必要があり、非効率であった。
【課題を解決するための手段】
【０００７】
本発明の文書管理ネットワークシステムは、画像文書配信サーバと、前記画像文書配信サーバと通信ネットワークを介して接続される通信端末とを備えた文書管理ネットワークシステムであって、
前記画像文書配信サーバは、
前記通信ネットワークを介して前記通信端末と通信する第１の送受信部と、
オリジナル画像文書情報、前記オリジナル画像文書情報に追記する公開可能な追記情報、前記オリジナル画像文書に追記する個人用追記情報のうちの一つ又は二つからなる第１情報を格納する第１の記憶部と、
前記通信端末からのオリジナル画像文書特定情報、又は前記オリジナル画像文書特定情報と閲覧者特定情報に基づいて、前記第１の記憶部との間で前記第１情報の格納と読み出しを行う第１の格納部と、
前記第１の格納部により読み出した前記第１情報を前記第１の送受信部を介して前記通信端末へ送る第１の情報処理部と、を有し、
前記通信端末は、
前記オリジナル画像文書特定情報と前記閲覧者特定情報とを入力する入力部と、
前記通信ネットワークを介して前記画像文書配信サーバと通信する第２の送受信部と、
前記オリジナル画像文書情報、前記公開用追記情報、前記個人用追記情報のうち前記第１の記憶部に格納された第１情報以外の情報からなる第２情報を格納する第２の記憶部と、
前記オリジナル画像文書特定情報、又は前記オリジナル画像文書特定情報と前記閲覧者特定情報に基づいて、前記第２の記憶部との間で前記第２情報の格納と読み出しを行う第２の格納部と、
前記第２の送受信部で受けた第１情報と、前記第２の格納部により読み出した第２情報とを合成するとともに、前記オリジナル画像文書特定情報、又は前記オリジナル画像文書特定情報と前記閲覧者特定情報を前記第２の送受信部を介して前記画像文書配信サーバへ送る第２の情報処理部と、を有するものである。
【０００８】
本発明の画像文書配信サーバは、通信ネットワークを介して通信端末と通信する送受信部と、
オリジナル画像文書情報と、前記オリジナル画像文書情報に追記する公開可能な公開用追記情報、前記オリジナル画像文書に追記する個人用追記情報のうちの少なくとも一つの追記情報とを格納する記憶部と、
前記通信端末から前記送受信部を介して送られた、オリジナル画像文書特定情報、又はオリジナル画像文書特定情報と閲覧者特定情報とに基づいて、前記記憶部との間で前記オリジナル画像文書情報と前記少なくとも一つの追記情報との格納と読み出しを行う格納部と、
前記格納部により読み出した前記オリジナル画像文書情報と前記少なくとも一つの追記情報とを、前記送受信部を介して前記通信端末へ送る情報処理部と、を有するものである。
【０００９】
本発明の通信端末は、通信ネットワークを介して、オリジナル画像文書情報を含む情報を画像文書配信サーバから受信する送受信部と、
オリジナル画像文書特定情報を入力する入力部と、
前記オリジナル画像文書情報に追記する個人用追記情報を格納する記憶部と、
前記オリジナル画像文書特定情報に基づいて、前記記憶部との間で前記個人用追記情報の格納と読み出しを行う格納部と、
前記格納部により読み出した前記個人用追記情報と、前記送受信部より受信したオリジナル画像文書情報を含む情報とを合成する情報処理部と、を有するものである。
【００１０】
本発明の文書管理装置は、オリジナル画像文書特定情報と閲覧者特定情報とを入力する入力部と、
オリジナル画像文書情報を格納する第１の記憶部と、
前記オリジナル画像文書特定情報に基づいて、前記第１の記憶部との間で前記オリジナル画像文書情報の格納と読み出しを行う第１の格納部と、
前記オリジナル画像文書情報に追記する公開可能な公開用追記情報を格納する第２の記憶部と
前記オリジナル画像文書特定情報と前記閲覧者特定情報に基づいて、前記第２の記憶部との間で前記公開用追記情報の格納と読み出しを行う第２の格納部と、
前記オリジナル画像文書情報に追記する個人用追記情報を格納する第３の記憶部と、
前記オリジナル画像文書特定情報に基づいて、前記第３の記憶部との間で前記個人用追記情報の格納と読み出しを行う第３の格納部と、
前記第１の格納部により読み出した前記オリジナル画像文書情報と、前記第２の格納部により読み出した前記公開用追記情報と、前記第３の格納部により読み出した前記個人用追記情報とを合成する情報処理手段と、
を有するものである。
【００１１】
本発明の文書管理方法およびプログラムは、入力手段によりオリジナル画像文書特定情報と閲覧者特定情報を入力し、
情報の格納と読み出しを行う格納手段により、前記オリジナル画像文書特定情報に基づいて、第１の記憶手段に記憶されたオリジナル画像文書情報を読み出し、前記オリジナル画像文書特定情報と前記閲覧者特定情報とに基づいて、第２の記憶手段に記憶された前記オリジナル画像文書情報に追記する公開可能な公開用追記情報を読み出し、前記オリジナル画像文書特定情報に基づいて、第３の記憶手段に記憶された前記オリジナル画像文書情報に追記する個人用追記情報を読み出し、
情報処理手段により、読み出した前記オリジナル画像文書情報と、読み出した前記公開用追記情報と、読み出した前記個人用追記情報とを合成するものである。
【００１２】
また本発明の文書管理方法とプログラムは、送受信手段によりオリジナル画像文書特定情報と閲覧者特定情報を受信し、
記憶手段に記憶された、オリジナル画像文書情報と、前記オリジナル画像文書情報に追記する公開可能な公開用追記情報、前記オリジナル画像文書に追記する個人用追記情報のうちの少なくとも一つの追記情報とを、前記オリジナル画像文書特定情報又は前記オリジナル画像文書特定情報と前記閲覧者特定情報とに基づいて、情報の格納と読み出しを行う格納手段により前記記憶手段から読み出し、
読み出した前記オリジナル画像文書情報と前記少なくとも一つの追記情報とを、前記送受信部を介して送信するものである。
【発明の効果】
【００１３】
本発明によれば、オリジナル画像文書情報を変更することなく、コメントやマーカ等の追記情報を追記することが可能となる。さらに、追記したコメントやマーカ等の追記情報を個人のメモとして保管したり公開したりすることが可能となる。
【発明を実施するための最良の形態】
【００１４】
以下、本発明の実施の形態について図面を用いて詳細に説明する。
【００１５】
図１に示す構成図をもとに本発明を説明する。閲覧者がユーザ端末２０の入力装置２０２を通してユーザIDと閲覧したい画像文書の画像文書IDを画像文書配信サーバ１０に送信する。画像文書格納部１０１は、画像文書IDに対応した、JPEG、JPEG2000、GIF、ビットマップ等に代表される画像文書を、オリジナル画像文書ファイル（オリジナル画像文書記憶部となる）１０５から読み出し、公開用追記情報格納部１０２は公開用追記情報テーブル１０７から画像文書IDに対応するレコードを検索する。公開用追記情報テーブル１０７には、追記情報の公開先を限定するための公開先IDが含まれており、閲覧者のユーザIDが公開先ＩＤに含まれているときに、公開が許可される公開用追記情報が公開用追記情報ファイル（公開用追記情報記憶部となる）１０６から読み出される。画像文書配信サーバ１０は読み出したオリジナル画像文書と公開用追記情報を送受信部１０４を介してユーザ端末２０に送信する。オリジナル画像文書と公開用追記情報は合成されてユーザ端末２０に送信されてもよい。
【００１６】
ユーザ端末２０は、個人用追記情報テーブル２０７から、閲覧者が入力した画像文書IDに対応するレコードを検索し、対応する個人用追記情報を個人用追記情報ファイル（個人用追記情報記憶部となる）２０６から読み出す。閲覧情報分離合成部２０３（情報処理部となる）は、画像文書配信サーバ１０から受信したオリジナル画像文書と公開用追記情報、個人用追記情報を合成して、コメントやマーカが追記された画像文書を表示装置２０５に表示する。
【００１７】
また、閲覧者はユーザ端末２０の入力装置２０２を通して、個人用追記情報と個人用追記情報テーブルの情報、公開用追記情報と公開用追記情報テーブルの情報を作成し、閲覧情報分離合成部２０３は、個人用追記情報テーブルの情報と個人用追記情報を、ユーザ端末２０の個人用追記情報格納部２０４を通して、個人用追記情報テーブル２０７と個人用追記情報ファイル２０６に格納する。公開用追記情報と公開用追記情報テーブルの情報は、画像文書配信サーバ１０に送信し、公開用追記情報格納部１０２を通して、公開用追記情報テーブル１０７と公開用追記情報ファイル１０６に格納される。
【００１８】
これにより、オリジナル画像文書を変更することなく、コメントやマーカのような追記情報を追加することを可能にし、追記情報を個人のメモとして保管したり、選択した他の閲覧者に公開したりすることを可能にする。
【００１９】
なお、画像文書格納部１０１とオリジナル画像文書ファイル１０５、公開用追記情報格納部１０２と公開用追記情報ファイル１０６と公開用追記情報テーブル１０７、個人用追記情報格納部２０４と個人用追記情報ファイル２０６と個人用追記情報テーブル２０７は、画像文書配信サーバ１０とユーザ端末２０とに任意に配置することができる。
【００２０】
例えば、本実施形態以外の他の実施形態として、画像文書格納部１０１とオリジナル画像文書ファイル１０５、公開用追記情報格納部１０２と公開用追記情報ファイル１０６と公開用追記情報テーブル１０７、個人用追記情報格納部２０４と個人用追記情報ファイル２０６と個人用追記情報テーブル２０７を全て、画像文書配信サーバ１０又はユーザ端末２０に配置することができる。また、画像文書配信サーバ１０に、画像文書格納部１０１とオリジナル画像文書ファイル１０５、公開用追記情報格納部１０２と公開用追記情報ファイル１０６と公開用追記情報テーブル１０７、個人用追記情報格納部２０４と個人用追記情報ファイル２０６と個人用追記情報テーブル２０７のうちのいずれか一つ又は二つを配置することができる。
【００２１】
以下、本発明の実施例について説明する。
【実施例１】
【００２２】
図１に示すように、本発明による画像文書公開閲覧システム（文書管理ネットワークシステム）の一実施例は、画像文書配信サーバ１０とユーザ端末２０から構成されている。画像文書配信サーバ１０とユーザ端末２０はネットワーク３０を介して接続されている。
【００２３】
画像文書配信サーバ１０は、画像文書格納部１０１、公開用追記情報格納部１０２、閲覧情報分離合成部（情報処理部となる）１０３、送受信部１０４、オリジナル画像文書ファイル１０５、公開用追記情報ファイル１０６、公開用追記情報テーブル１０７から構成される。
【００２４】
画像文書格納部１０１は、オリジナル画像文書ファイル１０５との間で、画像文書ＩＤで指定されたオリジナル画像文書の格納と読み込みを行う機能を提供する。公開用追記情報格納部１０２は、公開用追記情報格納ファイル１０６との間で、画像文書ＩＤで指定されたオリジナル画像文書に追記する公開可能なコメントやマーカ等の追記情報の格納と読み込みを行う機能と、公開用追記情報テーブル１０７との間で、画像文書ＩＤとユーザＩＤで指定されたオリジナル画像文書とユーザへの公開情報から、公開可能な追記情報を検索する機能を提供する。
【００２５】
閲覧情報分離合成部１０３は、画像文書格納部１０１から取得したオリジナル画像文書と、公開用追記情報格納部１０２から取得した追記情報を統合し、送受信部１０４を介してユーザ端末２０に送信する機能と、送受信部１０４を介してユーザ端末２０から受信した、追記情報と追記情報テーブルの情報を公開用追記情報格納部１０２に出力する機能を提供する。
【００２６】
ユーザ端末２０は、送受信部２０１、入力装置２０２、閲覧情報分離合成部（情報処理部となる）２０３、個人用追記情報格納部２０４、表示装置２０５、個人用追記情報ファイル２０６、個人用追記情報テーブル２０７から構成される。
【００２７】
入力装置２０２は、例えばキーボードやマウスを利用してユーザが閲覧したい画像文書やユーザのIDを指定するための入力機能と、IDで指定した画像文書に追記情報を記入するための描画機能を提供する。送受信部２０１は入力装置２０２から画像文書のIDを受け取り画像文書配信サーバ１０に送信する機能と、画像文書配信サーバ１０からオリジナル画像文書と公開用追記情報を受信し、閲覧情報分離合成部２０３に渡す機能を提供する。閲覧情報分離合成部２０３は、送受信部２０１を介して受け取ったオリジナル画像文書と公開用追記情報と個人用追記情報格納部２０４から受け取った個人追記情報とを合成して、表示装置２０５に追記情報付き文書画像として渡す機能を提供する。
【００２８】
さらに、閲覧情報分離合成部２０３は、入力装置２０２から受け取った個人用追記情報と個人用追記情報テーブルの情報を、個人用追記情報格納部２０４を通して個人用追記情報ファイル２０６と個人用追記情報テーブル２０７に格納し、入力装置２０２から受け取った公開用追記情報と公開用追記情報テーブル情報を、送受信部２０１を通して画像文書配信サーバ１０に送信する。個人用追記情報格納部２０４は、閲覧情報分離合成部２０３から受け取った個人用の追記情報と追記情報テーブルの情報を個人用追記情報ファイル２０６、個人用追記情報テーブル２０７に格納する機能を提供する。表示装置２０５は、例えばモニタディスプレイを利用して、閲覧情報分離合成部２０３から受け取った追記情報付き文書画像を表示する機能を提供する。
（動作の説明）
図１〜図６と図７〜図１０のフローチャートを参照して、本実施例の動作について説明する。
【００２９】
まず、図１〜図６と図７、図８のフローチャートを参照して、画像文書配信サーバ１０に格納されたオリジナル文書画像に公開用の追記情報と個人用の追記情報を付加してユーザ端末に表示する動作について説明する。
【００３０】
まずはユーザ端末２０側の動作を図７のフローチャートを参照して説明する。ユーザが入力装置２０２を利用して、ユーザを識別するユーザＩＤ、閲覧したい画像文書を識別する画像文書ＩＤを入力し送受信部２０１に閲覧の要求を出す（ステップＳ２１０）。送受信部２０１は、指定する画像文書とユーザに公開可能な公開用の追記情報を取得するために、ユーザＩＤと画像文書ＩＤを画像文書配信サーバ１０に送信する（ステップＳ２１１）。
【００３１】
画像文書配信サーバ１０は、画像文書ＩＤで指定されたオリジナルの画像文書とユーザＩＤで指定されたユーザに公開可能な公開用追記情報を送受信部２０１へ送信する（ステップＳ２１２）。オリジナル画像文書は、図５に示すような文字や図形を含むファイルで、例えばＪＰＥＧやＪＰＥＧ２０００のような画像ファイルである。公開用追記情報は、例えば図４に示すような追記する座標と追記するマーカやテキスト情報を含むファイルである。
【００３２】
送受信部２０１は画像文書配信サーバ１０から受け取った画像文書と公開追記情報を閲覧情報分離合成部２０３に渡す（ステップＳ２１３）。閲覧情報分離合成部２０３は、画像文書ＩＤを個人用追記情報格納部２０４に渡して、画像文書ＩＤで指定された画像文書の個人用追記情報の取得を要求する（ステップＳ２１４）。個人用追記情報は、図４に示すような公開用追記情報と同様の情報が記述されたファイルである。個人用追記情報格納部２０４は、個人用追記情報テーブル２０７を検索し、画像文書ＩＤに対応する追記情報を追記情報ファイル２０６から読み出し個人用追記情報を閲覧情報分離合成部２０３に渡す（ステップＳ２１５）。個人用追記情報テーブルは、図３に示すように、画像文書ＩＤ、画像文書名、追記ユーザＩＤ、公開先ＩＤ、追記情報ファイルＩＤを含んでいる。追記ユーザＩＤは追記情報を付加した者のＩＤ、公開先ＩＤは公開が許可された者のＩＤである。なお、ここではユーザ端末に個人用追記情報が記憶されているために、入力装置２０２で入力されたユーザＩＤが公開先ＩＤに含まれていることを前提としており（例えば、ユーザＩＤがuser 002で、このＩＤが図３に示すように、個人用追記情報テーブルの公開先ＩＤに含まれているとしている）、画像文書ＩＤのみで個人用追記情報を検索、読み出し可能としているが、画像文書配信サーバに個人用追記情報が記憶される場合には（個人用追記情報格納部２０４と個人用追記情報ファイル２０６と個人用追記情報テーブル２０７が画像文書配信サーバに配置される）、入力装置２０２により入力された画像文書ＩＤとユーザＩＤについて、入力された画像文書ＩＤが個人用追記情報テーブルの画像文書ＩＤと一致し、入力されたユーザＩＤが個人用追記情報テーブルの公開先ＩＤに含まれているときに、個人用追記情報を検索、読み出しが許可される。
【００３３】
閲覧情報分離合成部２０３は、送受信部２０１を通して画像文書配信サーバ１０から受け取ったオリジナル画像文書と公開追記情報、個人用追記情報格納部２０４から受け取った個人用追記情報を合成し、追記情報付き文書画像として表示装置２０５に渡す（ステップＳ２１６）。表示装置２０５は追記情報付き文書画像を表示する（ステップＳ２１７）。追記情報付き文書画像は、図６に示すように、図５のオリジナル画像文書に、囲み枠や文字が追加された画像文書である。
【００３４】
次に画像文書配信サーバ１０側の動作を図８のフローチャートを参照して説明する。ユーザ端末２０は、指定する画像文書とユーザに公開可能な公開用の追記情報を取得するために、ユーザＩＤと画像文書ＩＤを送受信部１０４に送信する（ステップＳ１１０）。送受信部１０４はユーザＩＤと画像文書ＩＤを受け取り、それを指定画像文書と公開用追記情報を取得するために閲覧情報分離合成部１０３に渡す（ステップＳ１１１）。閲覧情報分離合成部１０３は、画像文書ＩＤを渡して、オリジナル画像文書の取得を画像文書格納部１０１に要求し（ステップＳ１１２）、画像文書格納部１０１は、画像文書ＩＤに該当する画像文書をオリジナル画像文書ファイル１０５から読み込み、閲覧情報分離合成部１０３に渡す（ステップＳ１１３）。閲覧情報分離合成部１０３は、ユーザＩＤと画像文書ＩＤを渡して、ユーザＩＤで指定されたユーザに公開可能な公開用追記情報ファイルの取得を公開用追記情報格納部１０２に要求する（ステップＳ１１４）。公開用追記情報格納部１０２は、公開用追記情報テーブル１０７から、文書画像ＩＤに該当する公開用追記情報を検索し（ステップＳ１１５）、公開用追記情報検索テーブル内の公開先ＩＤに、ユーザＩＤが含まれる場合に公開用追記情報ファイル１０６から公開用追記情報を読み込み、閲覧情報分離合成部１０３に渡す（ステップＳ１１６）。公開用追記情報テーブルは、図２に示すように、図３の個人用追記情報テーブルと同様な構成で、画像文書ＩＤ、画像文書名、追記ユーザＩＤ，公開先ＩＤ、追記情報ファイルＩＤを含んでいる。公開先ＩＤには公開を許可するユーザＩＤを指定する。この例では、画像文書ＩＤが20031218-001の画像文書に対応する、画像文書名「ＡＡＡシステムマニュアル」の追記情報ファイル20031218-comment001の内容はuser002とuser003のみに公開可能を意味している。閲覧情報分離合成部１０３は、オリジナル画像文書と公開用追記情報を渡してユーザ端末２０への送信を送受信部１０４に要求し（ステップＳ１１７）、送受信部１０４は受け取ったオリジナル画像文書ファイルと公開用追記情報ファイルをユーザ端末２０に送信する（ステップＳ１１８）。ユーザ端末２０は受け取ったオリジナル画像文書と公開用追記情報を元に追記情報付き文書画像を作成してユーザに表示する（ステップＳ１１９）。
【００３５】
次に図１、図３〜図６と図９、図１０のフローチャートを参照して、追記したコメントやマーカを個人用の追記情報としてユーザ端末内に格納する動作と、公開用の追記情報として画像文書配信サーバに格納して公開する動作について説明する。
【００３６】
まずは、ユーザ端末２０側の動作を図９のフローチャートを参照して説明する。ユーザが入力装置２０２を利用して、文書画像に追記し、閲覧情報分離合成部２０３に、個人用追記情報、個人用追記情報テーブルの情報、公開用追記情報、公開用追記情報テーブルの情報を渡す（ステップＳ２５０）。個人用追記情報は、図３に示すような情報である。閲覧情報分離合成部２０３は受け取った個人用追記情報、個人用追記情報テーブルの情報を個人用追記情報格納部２０４に渡す（ステップＳ２５１）。個人用追記情報格納部２０４は、個人用追記情報テーブルの情報と公開用追記情報を個人用追記情報ファイル２０６と個人用追記情報テーブル２０７に格納する（ステップＳ２５２）。閲覧情報分離合成部２０３は、公開用追記情報、公開用追記情報テーブルの情報を送受信部２０１にわたして、画像文書配信サーバ１０への送信を要求し（ステップＳ２５３）、送受信部２０１は画像文書サーバ１０にネットワーク３０を介して送信する（ステップＳ２５４）。画像文書サーバ１０は受け取った公開用追記情報、公開用追記情報テーブルの情報を登録して、登録完了の通知を送受信部２０１に送信し（ステップＳ２５５）、送受信部２０１は登録完了を閲覧情報分離合成部２０３に渡す（ステップＳ２５６）。
【００３７】
次に画像文書配信サーバ１０側の動作を図１０のフローチャートを参照して説明する。ユーザ端末２０は、送受信部１０４に公開用追記情報テーブルの情報と公開用追記情報を送信し（ステップＳ１５０）、送受信部１０４は、受信した公開用追記情報テーブルの情報と公開用追記情報を閲覧情報分離合成部１０３に渡して、公開用の追記情報登録を要求する（ステップＳ１５１）。閲覧情報分離合成部１０３は、受け取った公開用追記情報テーブルの情報と公開用追記情報を公開用追記情報格納部１０２に渡して格納要求し（ステップＳ１５２）、公開用追記情報格納部１０２は公開用追記情報ファイル１０６と公開用追記情報テーブル１０７に格納する（ステップＳ１５３）。閲覧情報分離合成部１０３は、公開用追記情報格納部１０２から格納完了の通知を受け取り、公開追記情報の登録完了を送受信部１０４に渡す（ステップＳ１５４）。送受信部１０４はユーザ端末２０にネットワーク３０を介して登録完了を通知する（ステップＳ１５５）。
【実施例２】
【００３８】
図１１は本発明による画像文書公開閲覧システム（文書管理ネットワークシステム）の第２の実施例を示すブロック図である。
【００３９】
本実施例では、図１に示した、公開用追記情報格納部１０２、公開用追記情報ファイル１０６、公開用追記情報テーブル１０７はユーザ端末２０側に設けられ、閲覧情報分離合成部１０３がなく、ユーザ端末２０の閲覧情報分離合成部２０３が閲覧情報分離合成部１０３の機能の一部（公開用追記情報格納部１０２との間の情報処理）を有している。
【００４０】
本実施例では、画像文書配信サーバ１０でのメモリ容量や情報処理の負荷が軽減され、画像文書配信サーバ１０の装置構成を簡易化することができる。
【実施例３】
【００４１】
図１２は本発明による画像文書公開閲覧システム（文書管理装置）の第３の実施例を示すブロック図である。
【００４２】
本実施例は通信ネットワークを用いずに図１に示したシステムを構成した例を示すものである。４０は文書管理装置を示し、例えば１台のパーソナルコンピュータでシステムを構成する場合である。
【実施例４】
【００４３】
図１３は本発明による画像文書公開閲覧システム（文書管理ネットワークシステム）の第４の実施例を示すブロック図である。本実施例では、図１に示した、個人用追記情報格納部２０４、個人用追記情報ファイル２０６、個人用追記情報テーブル２０７は画像文書配信サーバ１０側に設けられ、閲覧情報分離合成部２０３がなく、画像文書配信サーバ１０の閲覧情報分離合成部１０３が閲覧情報分離合成部２０３の機能の一部（個人用追記情報格納部２０４との間の情報処理）を有している。
【００４４】
本実施例では、ユーザ端末２０でのメモリ容量や情報処理の負荷が軽減され、ユーザ端末２０の装置構成を簡易化することができる。かかる構成はユーザ端末が携帯情報機器等である場合に有効である。
【実施例５】
【００４５】
図１４は本発明による画像文書公開閲覧システム（文書管理ネットワークシステム）の第５の実施例を示すブロック図である。本実施例は図１に示したシステムにおいて、追記情報をサーバ側に入力装置２０８を設けて入力可能としたものであり、ユーザ端末２０は追記情報入力を行わず、情報の閲覧のみを行っている。
【００４６】
各実施例で説明した画像文書配信サーバ１０、ユーザ端末２０、文書管理装置３０は、図１５に示すようなコンピュータで構成することができる。画像文書配信サーバ１０、ユーザ端末２０、文書管理装置３０を複数のコンピュータで実現することもできる。
【００４７】
入力装置から入力された画像文書ＩＤ、ユーザＩＤ、オリジナル画像文書情報、公開用追記情報、公開用追記情報テーブルの情報、個人用追記情報、個人用追記情報テーブルの情報はＤＲＡＭ等のメモリ３２３又はＭＯ、ハードディスク等のディスク装置３２４等の記憶手段に記憶される。ＣＰＵ３２６は画像文書格納部１０１、公開用追記情報格納部１０２、閲覧情報分割合成部１０３，２０３、個人用追記情報格納部２０４の機能を実現し、図７〜図１０を用いて既に説明した各処理を記述したプログラム（ここではディスク装置３２４にプログラムが保存されている。）に基づいて、処理を行う。キーボード３２１はデータを入力する入力手段、ＣＲＴ３２２は追記情報付き文書画像を表示する表示手段となる。３２５はデータバス等のバス、３２７は各端末と通信を行うための通信部を示す。
【産業上の利用可能性】
【００４８】
本発明はオリジナル画像文書を追記情報とともに管理する文書管理ネットワークシステム、画像文書配信サーバ、通信端末、文書管理装置、文書管理方法およびプログラムに用いられる。
【図面の簡単な説明】
【００４９】
【図１】本発明による画像文書公開閲覧システムの一実施形態及び第１の実施例を示すブロック図である。
【図２】公開用追記情報テーブルの構成を示す図である。
【図３】個人用追記情報テーブルの構成を示す図である。
【図４】公開用追記情報ファイルの一例を示す図である。
【図５】オリジナル画像文書ファイルの一例を示す図である。
【図６】図５のオリジナル画像文書ファイルに、囲み枠や文字が追加された画像文書を示す図である。
【図７】ユーザ端末側の動作を示すフローチャートである。
【図８】画像文書配信サーバ側の動作を示すフローチャートである。
【図９】ユーザ端末側の動作を示すフローチャートである。
【図１０】画像文書配信サーバ側の動作を示すフローチャートである。
【図１１】本発明による画像文書公開閲覧システムの第２の実施例を示すブロック図である。
【図１２】本発明による画像文書公開閲覧システムの第３の実施例を示すブロック図である。
【図１３】本発明による画像文書公開閲覧システムの第４の実施例を示すブロック図である。
【図１４】本発明による画像文書公開閲覧システムの第５の実施例を示すブロック図である。
【図１５】コンピュータの構成を示す図である。
【符号の説明】
【００５０】
１０  画像文書配信サーバ
１０１  画像文書格納部
１０２  公開用追記情報格納部
１０３  閲覧情報分離合成部
１０４  送受信部
１０５  オリジナル画像文書ファイル
１０６  公開用追記情報ファイル
１０７  公開用追記情報テーブル
２０  ユーザ端末
２０１  送受信部
２０２  入力装置
２０３  閲覧情報分離合成部
２０４  個人用追記情報格納部
２０５  表示装置
２０６  個人用追記情報ファイル
２０７  個人用追記情報テーブル
【図１】
2005309745.tif 000003
【図２】
2005309745.tif 000004
【図３】
2005309745.tif 000005
【図４】
2005309745.tif 000006
【図５】
2005309745.tif 000007
【図６】
2005309745.tif 000008
【図７】
2005309745.tif 000009
【図８】
2005309745.tif 000010
【図９】
2005309745.tif 000011
【図１０】
2005309745.tif 000012
【図１１】
2005309745.tif 000013
【図１２】
2005309745.tif 000014
【図１３】
2005309745.tif 000015
【図１４】
2005309745.tif 000016
【図１５】
2005309745.tif 000017